(57)【要約】【目的】  トランスにおける高電圧側端子とトランスの部品である磁性コアとの絶縁距離を小スペース範囲で確保するケース付きトランスの提供を目的する。【構成】  磁性材からなる一組のコア２１と該磁性コア２１を組み込むボビン２２と該ボビン２２に巻回する高電圧側コイル２５と低電圧側コイル２４からなるトランスは、箱形状の収納ケース１０に収まり、高電圧側コイル２５の端末２５ａは、収納ケース１０の上面１１の導出孔１７を通り、厚壁側面１６に沿って引き出されて高電圧側端子２８に接続し、低電圧側コイル２４の端末２４ａは、開口側面１５より引き出されて低電圧側端子２７に接続する。【選択図】  図２
2008258250.tif 000002
【特許請求の範囲】
【請求項１】
高電圧回路に接続する高電圧側コイルと、低電圧回路に接続する低電圧側コイルを、それぞれ１つ以上巻回するボビンと、該ボビンに組み込まれる磁性コアにより構成するトランスは、一側面と上方のみに開口部を有し、前記開口部の一側面およびその対称側面下方に、コイル端末および回路接続の端子を具備する収納ケースに組み合い、高電圧側コイルの端末は、前記収納ケースの上方開口部より、該収納ケース下方に位置する端子に導出し、低電圧側コイルの端末は、収納ケースの開口側面より端子に導出することを特徴とするケース付きトランス。
【請求項２】
収納ケースの上方開口部は、高電圧側コイルの端末のみを通す導出孔であることを特徴とする請求項１記載のケース付きトランス。
【請求項３】
高電圧回路に接続する高電圧側コイルに、三層絶縁電線を使用することを特徴とする請求項１および請求項２記載のケース付きトランス。
【請求項４】
高電圧回路に接続する端子と、収納ケース内のトランスの磁性コアの絶縁距離を、１０ｍｍ以上とすることを特徴とする請求項１から請求項３記載のケース付きトランス。
【請求項５】
収納ケースの樹脂肉厚を、０．５ｍｍ以上とすることを特徴とする請求項１から請求項４記載のケース付きトランス。
【発明の詳細な説明】
【技術分野】
【０００１】
本発明は、トランスの大きさを左右する高電圧回路とトランスの部品である磁性コアとの絶縁距離の確保に関するものである。
【背景技術】
【０００２】
一般的にトランスは、１：１の変成比を除けば、必ず低電圧側と高電圧側のコイルとして区別し、また前記コイルの端末が接続する端子も同様に区分される。コイル部における低電圧側と高電圧側は、絶縁テープからなる層間テープ，バリアテープなどにより、電圧に応じた絶縁距離を容易に確保することができる。
【０００３】
しかし、ボビンに配設する端子については、あらかじめ設定電圧値にあった絶縁距離の確保が必要であり、しかも、高電圧側の端子とトランスの部品である磁性コアの絶縁距離は、樹脂からなるボビンの形状により確保する方法が一般的である。
【０００４】
図６に示すトランス１００は、高電圧側端子１０６を配設したボビン１０２の一部を、外方に延伸させることにより、ボビン１０２の下方に位置するスペーサー１０９の高さを低くして、磁性コア１０３と高電圧側端子１０６のハンダ部１０５との絶縁距離Ｓ１が十分確保することができ、トランス１００の薄型化を可能とするものである。（特許文献１）
【０００５】
また、別の方法として図７に示すトランス１１０は、絶縁樹脂からなるカバー１１４の凹部１１４ａとボビン１１２の凸部１１２ａの嵌め合わせにより、高電圧側端子１１６と磁性コア１１３との絶縁距離を屈折状に形成できるため、トランスの肥大化を抑制するものである。（特許文献２）
【０００６】
【特許文献１】特開２００３−１４２３１７号（図１）
【特許文献２】特開２００６−２２８９９６号（図１、図２）
【発明の開示】
【発明が解決しようとする課題】
【０００７】
しかし、図６に示す特許文献１のトランス構造では、高電圧側端子１０６を配設したボビン１０２の一部を外方へ突出させる必要があり、そのためにトランスとしての取付面積が大きくなるという問題を発生させていた。
【０００８】
また図７に示す特許文献２のトランスは、高電圧回路が端子１１６付近までであれば絶縁距離の確保は十分であるが、高電圧回路がトランス１１０の下部あるいはトランス１１０の周辺に位置する場合、低電圧回路との導電経路となる磁性コア１１３との絶縁距離の確保が困難となり、そのために、トランス１１０を取り付ける基板回路に設計制約が発生し、その回路の高密集化を妨げるものであった。
【０００９】
本発明は、上記問題を鑑み、高電圧回路とトランスの部品である磁性コアの絶縁距離を十分確保することができ、回路の高密集化を可能とする小型のトランスの提供を目的とする。
【課題を解決するための手段】
【００１０】
本発明は、高電圧回路に接続する高電圧側コイルと、低電圧回路に接続する低電圧側コイルを、それぞれ１つ以上巻回するボビンと、該ボビンに組み込まれる磁性コアにより構成するトランスは、一側面と上方のみに開口部を有し、前記開口部の一側面およびその対称側面下方に、コイル端末および回路接続の端子を具備する収納ケースに組み合い、高電圧側コイルの端末は、前記収納ケースの上方開口部より、該収納ケース下方に位置する端子に導出し、低電圧側コイルの端末は、収納ケースの開口側面より端子に導出することを特徴とするケース付きトランスである。
【００１１】
また本発明は、収納ケースの上方開口部は、高電圧側コイルの端末のみを通す導出孔であることを特徴とする上記記載のケース付きトランスである。
【００１２】
また本発明は、高電圧回路に接続する高電圧側コイルに、三層絶縁電線を使用することを特徴とする上記記載のケース付きトランスである。
【００１３】
また本発明は、高電圧回路に接続する端子と、収納ケース内のトランスの磁性コアの絶縁距離を、１０ｍｍ以上とすることを特徴とする上記記載のケース付きトランスである。
【００１４】
また本発明は、収納ケースの樹脂肉厚を、０．５ｍｍ以上とすることを特徴とする上記記載のケース付きトランスである。
【発明の効果】
【００１５】
本発明は、トランスを略箱形状のケースに収納し、高電圧側コイルの端末を屈折状に端子へ導出することにより、高電圧回路に対するトランスに部品である磁性コアの絶縁距離十分確保でき、信頼性を向上させるとともに、トランス取付基板における、回路の高密集化が可能となり、その回路を使用する装置，機器の小型化を実施できるものである。
【発明を実施するための最良の形態】
【００１６】
本発明のケース付きトランスの実施形態を図１から図４を使用して説明する。図１は本発明のケース付きトランスの実施形態を示す平面図、図２は図１に示す本発明のケース付きトランスのＡ−Ａ断面図、図３および図４は図１，図２に示す本発明のケース付きトランスの斜視図である。
【００１７】
本発明のケース付きトランスは、磁性材からなる一組のコア２１と該磁性コア２１を組み込むボビン２２と該ボビン２２に巻回する高電圧側コイル２５と低電圧側コイル２４により、トランスとしての機能をなすものである。
【００１８】
上記のトランスは、箱形状の収納ケース１０に収まり、その収納ケース１０の構造は以下の通りである。高電圧側端子２８と低電圧側端子２７を埋設する底面１４と、低電圧側端子２７側の開口側面１５と、他の側面１２，１３より肉厚の高電圧側端子２８側の厚壁側面１６と、開口部である導出孔１７の有す上面１１より、収納ケース１０は構成されている。
【００１９】
そして、収納ケース１０の内に収まるトランスより引き出される各コイル端末は、高電圧側コイル２５の端末２５ａは、収納ケース１０の上面１１の導出孔１７を通り、厚壁側面１６に沿って引き出されて高電圧側端子２８に接続する。また、低電圧側コイル２４の端末２４ａは、開口側面１５より引き出されて低電圧側端子２７に接続する。
【００２０】
本発明のケース付きトランスは、高電圧側端子２８とトランスの部材であるコア２１との沿面距離および空間距離からなる絶縁距離を図１から図４に示す構造により確保するものであり、収納ケース１０の厚壁側面１６の垂直距離Ｄｐと水平距離Ｄｈのカギ括弧状の沿面距離と、収納ケース１０の導出孔１７と磁性コア２１の空間距離Ｄｃにより、必要とする絶縁距離を取ることができたものである。
【００２１】
また、収納ケース１０は、低電圧側端子２７側の開口側面１４を除く側面に壁が設けられており、回路基板における高電圧回路を、本発明のケース付きトランスの下に設けることができ、回路設計の高密集化を可能とするものである。
【００２２】
また、トランスの高電圧側コイル２５に３層絶縁電線を用いることにより、コイル間の層間用テープが不要となり、電気に対する絶縁性高いため、本発明のケース付きトランスの信頼性を高めるものである。
【実施例１】
【００２３】
上記で説明した図１から図４のケース付きトランスを作製した。収納ケース１０に収めるトランスの大きさは、８ｍｍ×８ｍｍ、高さ５ｍｍ。収納ケース１０は、外形寸法が１１ｍｍ×１１ｍｍ、高さ７ｍｍ（端子寸法は含めず）。トランスを収納するケース内側の寸法は、９ｍｍ×９．５ｍｍ、高さ５．５ｍｍ。底面１４の厚さは１．１ｍｍ、側面１２，１３の厚さは５．５ｍｍ。厚壁側面１６の厚さは２ｍｍ。上面１１の厚さは０．５ｍｍとした。
【００２４】
上記により作製された本発明のケース付きトランスにおける高電圧側端子２８と磁性コア２１との絶縁距離は、厚壁側面１６の垂直寸法Ｄｐ（高電圧側端子２８に接続する高電圧側コイル２５の端末２５ａの導電部分から）は５．７ｍｍ、厚壁側面１６の水平寸法Ｄｈは２ｍｍ、導出孔１７から磁性コア２１までの空間寸法Ｄｃは３ｍｍあり、高電圧側端子３６と磁性コア２１との絶縁距離を、１０ｍｍ以上確保することができた。
【００２５】
また、収納ケース１０の底面１４に設けられた高電圧側端子２８の植設部２８ａとケース内側との厚さおよび側壁１２，１３はそれぞれ０．５ｍｍ以上の寸法を確保することができた。
【００２６】
以上説明のように、本発明のケース付きトランスは、小型でありながら高電圧側端子２８とトランスの磁性コア２１の絶縁距離を十分に確保することができた。
【実施例２】
【００２７】
図５は、本発明の別の実施例を示したのであり、本発明のケース付きトランスに係る収納ケースの斜視図を示したものである。図５の収納ケース３０は、高電圧側端子３４側の厚壁側面３２の上方にコイル端末導出用のスリット３６を設け、前記コイル端末を収納ケース３０の高さより上方に飛び出さないようにしたものであり、さらに、前記厚壁側面３２に水平外方方向に突出する突部３７を形成することにより、前記スリット３６により削減された絶縁距離を増加させるものである。
【００２８】
また、図５の収納ケース３０は上面を開口部とし、図１から図４に示した収納ケース１０に比べて、コイル端末の導出作業を容易とするものである。
【００２９】
なお、上述した本発明のケース付きトランスでは、ＥＥ，ＥＩなどの組み合わせ磁性コアを記載したが、本発明に係る収納ケースに収めるトランスは、形状，コイル数を限定するものではなく、トロイダル形状の磁性コアを使用しても本発明と同様の効果は得られ、また、既存のボビンより端子を取り除いたものを本発明で記載したボビン２１として使用することは可能である。
【産業上の利用可能性】
【００３０】
各種電気電子機器に使用されるトランスの小型化を可能とする技術である。
【図面の簡単な説明】
【００３１】
【図１】本発明のケース付きトランスの平面図である。
【図２】本発明のケース付きトランスの図１記載のＡ−Ａ断面図である。
【図３】本発明のケース付きトランスの斜視図である。
【図４】本発明のケース付きトランスの斜視図である。
【図５】本発明のケース付き小型トランスに係る別の収納ケースの斜視図である。
【図６】従来のトランスの高電圧側端子との絶縁距離を説明する図である。
【図７】従来の別のトランスの高電圧側端子との絶縁距離を説明する図である。
【符号の説明】
【００３２】
１０：収納ケース        １１：上面          １２，１３：側面      １４：底面
１５：開口側面          １６：厚壁側面      １７：導出孔          ２１：磁性コア
２２：ボビン            ２４：低電圧側コイル          ２４ａ：低電圧側コイル端末
２５：高電圧側コイル    ２５ａ：高電圧側コイル端末    ２７：低電圧端子
２８：高電圧側端子      ２８ａ：高電圧側端子植設部
【図１】
2008258250.tif 000003
【図２】
2008258250.tif 000004
【図３】
2008258250.tif 000005
【図４】
2008258250.tif 000006
【図５】
2008258250.tif 000007
【図６】
2008258250.tif 000008
【図７】
2008258250.tif 000009